(57)【要約】      （修正有）【課題】腎臓機能の重症度の評価して使われる、年齢と血清Ｃｒ値からＧＦＲ推算式により算出されるＧＦＲ推算値が、容易に求められるスケールを提供する。【解決手段】鞘状をなし、内部に、後記滑り尺を有する固定尺２とその中を、左右自在に動く滑り尺８からからなる。固定尺には、上下に２つの開口窓を有し、上方に窓３、下方に窓４を形成し、窓３の上縁に沿って年齢目盛り５を、窓４の上縁に男性用ＧＦＲ推算値読み取り矢印６、女性用ＧＦＲ推算値読み取り矢印７を表示する。滑り尺８に固定尺２の窓３から露出する部分に、窓上縁に沿ってＣｒ目盛り９を、窓４から露出する部分に、窓上縁に沿ってＧＦＲ推算値目盛り１０を表示する。【選択図】図１
0003144700.tif 000002
【実用新案登録請求の範囲】
【請求項１】
ＧＦＲ推算式により算出されるＧＦＲ推算値を求めるＧＦＲ推算早見スケールであって、前記推算式の年齢を対数目盛で表した年齢目盛り、ＧＦＲ推算値を読み取るＧＦＲ推算値読み取り矢印を有する第１スケールと、
前記推算式の血清Ｃｒ値を対数目盛で表したＣｒ目盛り、ＧＦＲ推算値を対数目盛で表したＧＦＲ推算値目盛りを有する第２スケールと、を備え、前記年齢目盛りとＣｒ目盛りとを、目盛り合わせ可能に対応させると共に、前記ＧＦＲ推算値読み取り矢印とＧＦＲ推算値目盛りとを、目盛り値を読み取り可能に対応させ、
且つ前記第１スケール及び前記第２スケールの一方を固定尺とし、他方を滑り尺としたことを特徴とするＧＦＲ推算早見スケール。
【考案の詳細な説明】
【技術分野】
【０００１】    本考案は、ＧＦＲ推算式により算出されるＧＦＲ推算値が、容易に把握できるＧＦＲ推算早見スケールに関するもの。
【背景技術】
【０００２】    この種のスケールとして、対象者の体重及び身長から体表面積を求め、同時に薬剤の投与量を求めるものが知られている。
【特許文献１】  実用新案登録第３１３３７６１号
【考案の開示】
【考案が解決しようとする課題】
【０００３】    腎臓機能の重症度の評価法として使用されるＧＦＲ推算値（ｅＧＦＲ）は、年齢（Ａｇｅ）、血清Ｃｒ（Ｃｒ）値より下記算出式により算出される。
【数１】
0003144700.tif 000003
【数２】
0003144700.tif 000004
この計算を行わず、ＧＦＲ推算値を求められる従来のようなスケールは、存在しない。【０００４】    腎臓機能の重症度の評価として、前項推算式で得られた数値をもとに、機能低下の程度を分類している。【０００５】    本考案は、固定尺と滑り尺を用いることにより、従来関数電卓等で行っていた複雑な計算をすることなく、誰でも簡単にＧＦＲ推算値が求められるＧＥＲ推算早見スケールの提供を目的としている。
【課題を解決するための手段】
【０００６】    本考案の要旨とするところは、鞘状になった固定尺と、その中を、長さ方向に滑る、滑り尺とで構成し、この固定尺に、対数目盛で作成された年齢目盛り、男性用、女性用、ＧＦＲ推算値読み取り矢印、を表示し、滑り尺に、対数目盛で作成されたＣｒ目盛り、対数目盛で作成されたＧＦＲ推算値目盛りを表示する。滑り尺を動かし固定尺の上方の窓部で、年齢目盛りと接した、滑り尺のＣｒ目盛り、の目盛り線同志を合わせ、固定尺下方の窓部にある男性用、女性用ＧＦＲ推算値読み取り矢印と接した、滑り尺のＧＦＲ推算値目盛りを読み取る事により数１、数２の計算値が容易に求めらる、ＧＦＲ推算早見スケール。
【考案の効果】
【０００７】    本考案は上記のような構成、機能であるから、誰でも簡単な操作によりＧＦＲ推算値を求めることができるものである。
【考案を実施するための最良の形態】
【０００８】    鞘状になった固定尺と、その固定尺の中を、長さ方向に滑る、滑り尺とで構成され、固定尺の表面に、上下２つの長方形の開口窓を有する。上方の窓上縁部に沿って年齢目盛りを表示し、下方の窓上縁部に、男性用ＧＦＲ推算値読み取り矢印、女性用ＧＦＲ推算値読み取り矢印を表示し、他方前記滑り尺の表面に、固定尺の上方の窓から露出する部分に窓の上縁に沿ってＣｒ目盛り、下方の窓から露出する部分に窓の上縁に沿ってＧＦＲ推算値目盛り、を表示する。
【実施例】
【０００９】    以下、本考案の実施の形態について、図面を参照し説明します。
図１は本考案の正面図、図２は固定尺の正面図、図３は滑り尺の正面図です。
図４は本考案例での目盛り、矢印間、の設定数値、設定位置を表した固定尺の正面図、図５は本考案例での各目盛りの設定数値、設定位置を表した滑り尺の正面図です。【００１０】    図中１はＧＦＲ推算早見スケールであり、後記固定尺と滑り尺からなるものである。【００１１】    ２は鞘状で、内部を長さ方向に滑り尺が自由に動く固定尺で、表面上方に長方形の窓３を有し、窓の上縁部に対数目盛で表された年齢目盛り５を表示する。固定尺の下方に長方形の窓４を有し、窓の上縁部に男性用ＧＦＲ推算値読み取り矢印６、女性用ＧＦＲ推算値読み取り矢印７を表示する。【００１２】    ８は前記固定尺の内部を長さ方向に可動する滑り尺である。滑り尺８の表面上方には、固定尺２の上方にある窓３の上縁に露出する様、対数目盛で表されたＣｒ目盛り９を、表示し、滑り尺８の表面下方には、固定尺２の下方にある窓４の上縁に露出する様、対数目盛で表されたＧＦＲ推算値目盛り１０を表示する。【００１３】    年齢目盛り、Ｃｒ目盛り、ＧＦＲ推算値目盛り、の３つの目盛りは、すべて対数目盛で作成する。【００１４】    対数目盛は、倍率に対する距離数値を決め、数値の上がる方向を決め、目盛りを作成し、数値を記入することにより、対数目盛としての形態を指定することができる。目盛り方向は、右方向に数値が高くなるものを順方向、左方向に数値が高くなるものを逆方向とした。【００１５】    数１から、年齢の−０．２８７乗、Ｃｒの−１．０９４乗、がＧＦＲ推算値へ与える割合は、年齢数値の２倍がＧＦＲ推算値の約０．８１９６倍、Ｃｒ数値の２倍がＧＦＲ推算値の約０．４６８５倍となる。ここでの図４、図５の例では、ＧＦＲ推算値目盛りの２倍を５０ｍｍ、と設定した時、約０．８１９６倍は、約１４．３５ｍｍ、約０．４６８５倍は約５４．７０ｍｍとなる。そこで３種の目盛りの表示範囲、数値２倍間の距離数値、目盛り方向を表１の様に設定する。
【表１】
0003144700.tif 000005
図４で年齢目盛り、数値２倍間の距離数値１１は１４．３５ｍｍとし、図５でＣｒ目盛り、数値２倍間の距離数値１２は５４．７０ｍｍ、ＧＦＲ推算値目盛り、数値２倍間の距離数値１３は５０ｍｍとする。３つの目盛りは対数目盛であるため、図中の指定箇所以外でも、目盛り内の数値２倍間の距離数値は同一数値となる。作成した３つの目盛りは、全てを同じ比率でを縮小、拡大しても同じ計算機能を果たす。【００１６】    固定尺の年齢目盛り、男性用ＧＦＲ推算値読み取り矢印、滑り尺のＣｒ目盛り、ＧＦＲ推算値目盛りのＸ軸方向の設定位１は、図４でのＹ１の点線の様に年齢目盛り６０の目盛り線と、図５のＹ１の点線のＣｒ目盛り、２．０の目盛り練がＹ軸方向に直線上となるとき、図５のＹ２の点線の様に、男性用ＧＦＲ推算値読み取り矢印点とＧＦＲ推算値目盛りのＸ軸方向の設定位置は、数１で算出される値２８．０６４としたい。しかしこの２８．０６４は目盛り線がないので、概算位置となってしまうため、ＧＦＲ推算値目盛り２０の目盛り線を、Ｘ軸方向の設定位置として設定する。５０ｍｍを２倍とした時の対数目盛での２８．０６４と２０の倍率である１．４０３２倍の距離数値である２４．４３６ｍｍを、男性用ＧＦＲ推算値読み取り矢印とＧＦＲ推算値目盛り２０の線との距離数値１４としてＸ軸方向の位置を設定する。このことにより、男性用ＧＦＲ推算値読み取り矢印点はＧＦＲ推算値目盛２８．０６４の点を示すことになる。【００１７】    図４の女性用ＧＦＲ推算値読み取り矢印７のＸ軸方向の設定位置Ｙ３は、数２の式より、女性用ＧＦＲ推算値は、男性用ＧＦＲ推算値の０．７３９倍である事から、５０ｍｍを２倍としたＧＦＲ推算値目盛での０．７３９倍の距離数値である２１．８１８ｍｍを男性用ＧＦＲ推算値読み取り矢印との距離数値１５とした位置とする。【００１８】    固定尺に表した年齢目盛り、男性用ＧＦＲ推算値読み取り矢印、女性用ＧＦＲ推算値読み取り矢印、滑り尺に表したＣｒ目盛り、ＧＦＲ推算値目盛りは、固定尺にＣｒ目盛り、ＧＦＲ推算値目盛り、滑り尺に年齢目盛り、男性用ＧＦＲ推算値読み取り矢印、女性用ＧＦＲ推算値読み取り矢印を表しても推算式の計算機能を果たす。【００１９】    ＧＥＲ推算値目盛りは、ＧＦＲ推算値の数値により、腎臓機能の重症度の評価として腎臓機能低下の程度を分類していることから、この分類に準じて、分類の領域毎に、色分けなどをして表すことができる。【００２０】    次に本考案の使用方法について説明する。
図１において滑り尺８を動かして、固定尺２の上方に位置する窓３の上縁に表示された、年齢目盛り５と、滑り尺８に表示されたＣｒ目盛り９の、目盛り線同志を合わせた状態で、固定尺２の下方の窓４の上縁に表示された、男性用ＧＦＲ推算値読み取り矢印６又は、女性用ＧＦＲ推算値読み取り矢印７の点に接する、滑り尺８のＧＦＲ推算値目盛り１０の目盛りを読み取れば、ＧＦＲ推算値が求められます。
【図面の簡単な説明】
【００２１】
【図１】本考案の正面図である。
【図２】固定尺の正面図である。
【図３】滑り尺の正面図である。
【図４】本考案での目盛り設定、位置設定を表した固定尺の正面図である。
【図５】本考案での目盛り設定、位置設定を表した滑り尺の正面図である。
【符号の説明】
【００２２】  １    ＧＦＲ推算早見スケール
２    固定尺
３    窓
４    窓
５    年齢目盛り
６    男性用ＧＦＲ推算値読み取り矢印
７    女性用ＧＦＲ推算値読み取り矢印
８    滑り尺
９    Ｃｒ目盛り
１０    ＧＦＲ推算値目盛り
１１    年齢目盛り数値２倍間の距離数値
１２    Ｃｒ目盛り数値２倍間の距離数値
１３    ＧＦＲ推算値目盛り数値２倍間の距離数値
１４    ＧＦＲ推算値目盛り目盛り線２０と男性用ＧＦＲ推算値読み取り矢印間の距離数値
１５    男性用ＧＦＲ推算値読み取り矢印と女性用ＧＦＲ推算値読み取り矢印間の距離数値
Ｙ１    年齢目盛り、Ｃｒ目盛りの位置関係を示す点線
Ｙ２    男性用ＧＦＲ推算値読み取り矢印、ＧＦＲ推算値目盛りの位置関係を示す点線
Ｙ３    女性用ＧＦＲ推算値読み取り矢印の位置関係を示す点線
【図１】
0003144700.tif 000006
【図２】
0003144700.tif 000007
【図３】
0003144700.tif 000008
【図４】
0003144700.tif 000009
【図５】
0003144700.tif 000010